(57)【要約】【課題】隣接する大型壁パネル同士を、容易かつ強固に連結することが可能な大型壁パネルの連結構造および連結方法を提供することを目的とする。【解決手段】板材３の両面の周縁部に取り付けられた枠体４，５を有する壁パネル２，２ａが複数接合されてなる大型壁パネル１を、幅方向に隣接させて連結するに際し、複数の壁パネル２，２ａの各板材３の枠体４表面に外装材６を予め取り付け、各板材３の枠体５表面に、対向する縦框材５ａ，５ｂの周囲を露出させた状態で石膏ボード７を予め取り付けておき、隣接する大型壁パネル１の対向する縦框材５ａ，５ｂ同士を緊結した後、露出する縦框材５ａ，５ｂ同士の周囲に、補助石膏ボード８を取り付ける大型壁パネル１の連結構造および連結方法。これにより、従来とは異なり、パネル自体の強度を維持するための補強作業等を行なう必要がない。【選択図】図１
2008266908.tif 000002
【特許請求の範囲】
【請求項１】
四角形状に形成された板材と、この板材の両面の少なくとも周縁部に取り付けられ、縦横の框材を四角枠状に組み立てた枠体とを有する壁パネルが複数接合されてなる大型壁パネルを、幅方向に隣接させて連結してなる大型壁パネルの連結構造であって、
前記隣接する大型壁パネルの対向する側端部に位置する縦框材同士が緊結されており、
前記複数の壁パネルの各板材の一面側の枠体表面に外装材が予め取り付けられるとともに、各板材の他面側の枠体表面に、隣接する大型壁パネルの対向する側端部に位置する縦框材の周囲を露出させた状態で石膏ボードが予め取り付けられており、
前記露出する縦框材同士の周囲には、この露出する縦框材同士の周囲を覆うための補助石膏ボードが取り付けられていることを特徴とする大型壁パネルの連結構造。
【請求項２】
請求項１に記載の大型壁パネルの連結構造において、
前記補助石膏ボードは、隣接する大型壁パネル間に架設されていることを特徴とする大型壁パネルの連結構造。
【請求項３】
請求項１または２に記載の大型壁パネルの連結構造において、
前記複数の壁パネルの各板材の一面側に取り付けられた枠体の縦框材のうち、一方の縦框材は、前記板材の周縁部よりも横方向外側に突出し、他方の縦框材は、前記板材の周縁部よりも横方向内側に引込んでいることを特徴とする大型壁パネルの連結構造。
【請求項４】
請求項１〜３のいずれか一項に記載の大型壁パネルの連結構造において、
前記複数の壁パネルの各板材の両面側に取り付けられた枠体の内部には、一方および他方の縦框材と平行する縦棧材が、対向する横框材間に配置されており、
前記各板材の一面側に取り付けられた枠体および縦棧材の表面に、これら枠体および縦棧材間に架け渡されるようにして前記外装材が取り付けられるとともに、前記各板材の他面側に取り付けられた枠体および縦棧材の表面に、これら枠体および縦棧材間に架け渡されるようにして前記石膏ボードが取り付けられていることを特徴とする大型壁パネルの連結構造。
【請求項５】
四角形状に形成された板材と、この板材の両面の少なくとも周縁部に取り付けられ、縦横の框材を四角枠状に組み立てた枠体とを有する壁パネルを複数接合してなる大型壁パネルを、幅方向に隣接させて連結する大型壁パネルの連結方法であって、
予め、前記複数の壁パネルの各板材の一面側の枠体の表面に外装材を取り付けるとともに、隣接する大型壁パネルの対向する側端部に位置する縦框材の周囲を露出させた状態で、各板材の他面側の枠体の表面に石膏ボードを取り付けておき、
前記隣接する大型壁パネルの対向する側端部に位置する縦框材同士を緊結した後、前記露出する縦框材同士の周囲に、この露出する縦框材同士の周囲を覆うための補助石膏ボードを取り付けることを特徴とする大型壁パネルの連結方法。
【発明の詳細な説明】
【技術分野】
【０００１】
本発明は、住宅等の建物の構築に用いられる大型壁パネルの連結構造および連結方法に関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより住宅を構築するパネル工法が一部に採用されている（例えば、特許文献１参照）。
この特許文献１で用いられる壁パネルは、縦芯材と横芯材とが矩形枠状に組み立てられるとともに、この矩形枠の内部に補強芯材が縦横に組まれて枠体とされ、さらに、この枠体内にグラスウール等の断熱材が充填された状態で枠体の表裏両面に合板等の面材が貼着されたものである。
また、近年、例えば工場にて、このような壁パネルを複数接合して大型壁パネルを製造し、この大型壁パネルを建築現場に運搬して、その建築現場にて大型壁パネルどうしを接合しながら立て込むことにより、現場施工をより簡略化した施工方法も採用されるようになってきた。
【特許文献１】特開平１１−２６９９８２号公報
【発明の開示】
【発明が解決しようとする課題】
【０００３】
ところで、上述のように大型壁パネル同士を接合する際は、これら大型壁パネルの側端面同士を接着剤で接着する方法がとられるが、より接合強度を向上させるため、接着剤で接着するだけでなく、大型壁パネルの側端面同士に連結ボルトを挿通させて連結する方法がとられる場合がある。この時、大型壁パネルに貼着された面材の側端近傍に開口部を形成しなければならない。
しかしながら、このように面材に対して開口部を形成した場合、壁パネル自体の強度を維持するために、開口部を塞いで、さらに開口部付近を補強したり等の手間がかかる場合がある。
【０００４】
本発明の課題は、隣接する大型壁パネル同士を、容易かつ強固に連結することが可能な大型壁パネルの連結構造および連結方法を提供することを目的とする。
【課題を解決するための手段】
【０００５】
請求項１に記載の発明は、例えば図１〜図５に示すように、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有する壁パネル２，２ａが複数接合されてなる大型壁パネル１を、幅方向に隣接させて連結してなる大型壁パネル１の連結構造であって、
前記隣接する大型壁パネル１の対向する側端部に位置する縦框材５ａ，５ｂ同士が緊結されており、
前記複数の壁パネル２，２ａの各板材３の一面側の枠体４表面に外装材６が予め取り付けられるとともに、各板材３の他面側の枠体５表面に、隣接する大型壁パネル１の対向する側端部に位置する縦框材５ａ，５ｂの周囲を露出させた状態で石膏ボード７が予め取り付けられており、
前記露出する縦框材５ａ，５ｂ同士の周囲には、この露出する縦框材５ａ，５ｂ同士の周囲を覆うための補助石膏ボード８が取り付けられていることを特徴とする。
【０００６】
請求項１に記載の発明によれば、前記複数の壁パネル２，２ａの各板材３の一面側の枠体４表面に外装材６が予め取り付けられるとともに、各板材３の他面側の枠体５表面に、隣接する大型壁パネル１の対向する側端部に位置する縦框材５ａ，５ｂの周囲を露出させた状態で石膏ボード７が予め取り付けられており、前記露出する縦框材５ａ，５ｂ同士の周囲には、この露出する縦框材５ａ，５ｂ同士の周囲を覆うための補助石膏ボード８が取り付けられているので、前記隣接する大型壁パネル１の対向する側端部に位置する縦框材５ａ，５ｂ同士を緊結した後に、この緊結箇所を前記補助石膏ボード８によって覆うことができる。したがって、従来とは異なり、大型壁パネル１同士を連結するに際し、パネル自体の強度を維持するための補強作業等を行なう必要がないので、隣接する大型壁パネル１同士を、容易かつ強固に連結することが可能となる。
【０００７】
しかも、前記複数の壁パネル２，２ａの各板材３の一面側の枠体４表面に外装材６が予め取り付けられるとともに、各板材３の他面側の枠体５表面に石膏ボード７が予め取り付けられていることから、施工現場で外装材６や石膏ボード７を取り付ける手間を省略することができるので、作業性の向上や工期の短縮を図ることができる。
【０００８】
さらに、前記大型壁パネル１を構成する各壁パネル２，２ａが、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有しているので、前記枠体４，５によって板材３を両面側から挟み込むことができ、地震等による板材３の変形を抑制することができる。すなわち、前記板材３に対して、剪断方向や捻れ方向などに大きな変形力が加わった場合、この板材３は様々な方向に向かって変形しようとする。例えば板材３が、側面視くの字に変形しようとすれば、板材３両面の前記一方の縦框材４ａ，５ａおよび他方の縦框材４ｂ，５ｂによって変形を抑制し、板材３が、平面視くの字に変形しようとすれば、板材３両面の前記一方の横框材４ｃ，５ｃおよび他方の横框材４ｄ，５ｄとによって変形を抑制することができる。また、例えば板材３が、捻れるように変形しようとすれば、板材３両面の前記枠体４，５全体で変形を抑制することができる。したがって、前記板材３が、いずれの方向に変形しても前記枠体４，５によって変形を抑制することができるので、前記板材３や、この板材３と両枠体４，５との取付部分に影響が出にくく、壁パネル２，２ａ自体の強度を向上させることが可能となる。
また、前記板材３の両面に枠体４，５が取り付けられてなるので、従来に比して、使用する板材３の量を２枚から１枚に減らすことができ、コストを削減することができる。
【０００９】
請求項２に記載の発明は、例えば図１および図５に示すように、請求項１に記載の大型壁パネル１の連結構造において、
前記補助石膏ボード８は、隣接する大型壁パネル１間に架設されていることを特徴とする。
【００１０】
請求項２に記載の発明によれば、前記補助石膏ボード８は、隣接する大型壁パネル１間に架設されていることから、この補助石膏ボード８によって前記露出する縦框材５ａ，５ｂ同士の周囲を一遍に覆うことができるので、隣接する大型壁パネル１同士を連結する際の作業性をより向上させることができる。
【００１１】
請求項３に記載の発明は、例えば図１および図４に示すように、請求項１または２に記載の大型壁パネル１の連結構造において、
前記複数の壁パネル２，２ａの各板材３の一面側に取り付けられた枠体４の縦框材４ａ，４ｂのうち、一方の縦框材４ａは、前記板材３の周縁部よりも横方向外側に突出し、他方の縦框材４ｂは、前記板材３の周縁部よりも横方向内側に引込んでいることを特徴とする。
【００１２】
請求項３に記載の発明によれば、前記複数の壁パネル２，２ａの各板材３の一面側に取り付けられた枠体４の縦框材４ａ，４ｂのうち、一方の縦框材４ａは、前記板材３の周縁部よりも横方向外側に突出し、他方の縦框材４ｂは、前記板材３の周縁部よりも横方向内側に引込んでいるので、前記一方の縦框材４ａと他方の縦框材４ｂとは、凹凸の関係性を有していることとなる。したがって、壁パネル２，２ａ同士を隣接させて接合する際は、突出している一方の壁パネル２，２ａの一方の縦框材４ａと、引込んでいる他方の壁パネル２，２ａの他方の縦框材４ｂとの位置を合わせるようにしながら、隣接する壁パネル２，２ａの側端面同士を密接させるだけで、容易に位置決めを行うことができる。
【００１３】
請求項４に記載の発明は、例えば図１〜図５に示すように、請求項１〜３のいずれか一項に記載の大型壁パネル１の連結構造において、
前記複数の壁パネル２，２ａの各板材３の両面側に取り付けられた枠体４，５の内部には、一方および他方の縦框材４ａ，４ｂ、５ａ，５ｂと平行する縦棧材９，１０が、対向する横框材４ｃ，４ｄ、５ｃ，５ｄ間に配置されており、
前記各板材３の一面側に取り付けられた枠体４および縦棧材９の表面に、これら枠体４および縦棧材９間に架け渡されるようにして前記外装材６が取り付けられるとともに、前記各板材３の他面側に取り付けられた枠体５および縦棧材１０の表面に、これら枠体５および縦棧材１０間に架け渡されるようにして前記石膏ボード７が取り付けられていることを特徴とする。
【００１４】
請求項４に記載の発明によれば、前記複数の壁パネル２，２ａの各板材３の両面側に取り付けられた枠体４，５の内部には、一方および他方の縦框材４ａ，４ｂ、５ａ，５ｂと平行する縦棧材９，１０が、対向する横框材４ｃ，４ｄ、５ｃ，５ｄ間に配置されているので、これら縦棧材９，１０によって前記枠体４，５の補強を行うことができ、壁パネル２，２ａ自体の強度をより向上させることが可能となる。
さらに、前記各板材３の一面側に取り付けられた枠体４および縦棧材９の表面に、これら枠体４および縦棧材９間に架け渡されるようにして前記外装材６が取り付けられているので、この外装材６を前記枠体４および縦棧材９に対して確実に取付固定できる。その上、前記各板材３の表面と外装材６との間に形成される隙間に、例えば断熱材を設けたりすることができるので、利便性が高い。
また、前記各板材３の他面側に取り付けられた枠体５および縦棧材１０の表面に、これら枠体５および縦棧材１０間に架け渡されるようにして前記石膏ボード７が取り付けられているので、この石膏ボード７を前記枠体５および縦棧材１０に対して確実に取付固定できる。その上、前記各板材３の表面と石膏ボード７との間に形成される隙間に、例えば断熱材を設けたりすることができるので、利便性が高い。
【００１５】
請求項５に記載の発明は、例えば図１〜図５に示すように、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有する壁パネル２，２ａを複数接合してなる大型壁パネル１を、幅方向に隣接させて連結する大型壁パネル１の連結方法であって、
予め、前記複数の壁パネル２，２ａの各板材３の一面側の枠体４の表面に外装材６を取り付けるとともに、隣接する大型壁パネル１の対向する側端部に位置する縦框材５ａ，５ｂの周囲を露出させた状態で、各板材３の他面側の枠体５の表面に石膏ボード７を取り付けておき、
前記隣接する大型壁パネル１の対向する側端部に位置する縦框材５ａ，５ｂ同士を緊結した後、前記露出する縦框材５ａ，５ｂ同士の周囲に、この露出する縦框材５ａ，５ｂ同士の周囲を覆うための補助石膏ボード８を取り付けることを特徴とする。
【００１６】
請求項５に記載の発明によれば、予め、前記複数の壁パネル２，２ａの各板材３の一面側の枠体４の表面に外装材６を取り付けるとともに、隣接する大型壁パネル１の対向する側端部に位置する縦框材５ａ，５ｂの周囲を露出させた状態で、各板材３の他面側の枠体５の表面に石膏ボード７を取り付けておき、前記隣接する大型壁パネル１の対向する側端部に位置する縦框材５ａ，５ｂ同士を緊結した後、前記露出する縦框材５ａ，５ｂ同士の周囲に、この露出する縦框材５ａ，５ｂ同士の周囲を覆うための補助石膏ボード８を取り付けることで、前記隣接する大型壁パネル１の対向する側端部の緊結箇所を前記補助石膏ボード８によって覆うことができる。したがって、従来とは異なり、大型壁パネル１同士を連結するに際し、パネル自体の強度を維持するための補強作業等を行なう必要がないので、隣接する大型壁パネル１同士を、容易かつ強固に連結することが可能となる。
【００１７】
しかも、予め、前記複数の壁パネル２，２ａの各板材３の一面側の枠体４の表面に外装材６を取り付けるとともに、各板材３の他面側の枠体５の表面に石膏ボード７を取り付けておくことによって、施工現場で外装材６や石膏ボード７を取り付ける手間を省略することができるので、作業性の向上や工期の短縮を図ることができる。
【００１８】
さらに、前記大型壁パネル１を構成する各壁パネル２，２ａが、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有しているので、前記枠体４，５によって板材３を両面側から挟み込むことができ、地震等による板材３の変形を抑制することができる。すなわち、前記板材３に対して、剪断方向や捻れ方向などに大きな変形力が加わった場合、この板材３は様々な方向に向かって変形しようとする。例えば板材３が、側面視くの字に変形しようとすれば、板材３両面の前記一方の縦框材４ａ，５ａおよび他方の縦框材４ｂ，５ｂによって変形を抑制し、板材３が、平面視くの字に変形しようとすれば、板材３両面の前記一方の横框材４ｃ，５ｃおよび他方の横框材４ｄ，５ｄとによって変形を抑制することができる。また、例えば板材３が、捻れるように変形しようとすれば、板材３両面の前記枠体４，５全体で変形を抑制することができる。したがって、前記板材３が、いずれの方向に変形しても前記枠体４，５によって変形を抑制することができるので、前記板材３や、この板材３と両枠体４，５との取付部分に影響が出にくく、壁パネル２，２ａ自体の強度を向上させることが可能となる。
また、前記板材３の両面に枠体４，５が取り付けられてなるので、従来に比して、使用する板材３の量を２枚から１枚に減らすことができ、コストを削減することができる。
【発明の効果】
【００１９】
本発明によれば、隣接する大型壁パネルの対向する側端部の緊結箇所を補助石膏ボードによって覆うことができるので、従来とは異なり、大型壁パネル同士を連結するに際し、パネル自体の強度を維持するための補強作業等を行なう必要がない。これによって、隣接する大型壁パネル同士を、容易かつ強固に連結することが可能となる。
しかも、複数の壁パネルの各板材の一面側の枠体の表面に外装材を予め取り付けるとともに、各板材の他面側の枠体の表面に石膏ボードを予め取り付けておくことによって、施工現場で外装材や石膏ボードを取り付ける手間を省略することができるので、作業性の向上や工期の短縮を図ることができる。
さらに、大型壁パネルを構成する各壁パネルの板材の両面の周縁部に取り付けられた枠体によって板材を両面側から挟み込むことができ、板材が、いずれの方向に変形しても枠体によって変形を抑制することができるので、板材や、この板材と両枠体との取付部分に影響が出にくく、壁パネル自体の強度を向上させることが可能となる。
また、板材の両面に枠体が取り付けられてなるので、従来に比して、使用する板材の量を２枚から１枚に減らすことができ、コストを削減することができる。
【発明を実施するための最良の形態】
【００２０】
以下、図面を参照して本発明の実施の形態について説明する。
【００２１】
本実施の形態の大型壁パネル１の連結構造は、図１〜図５に示すように、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有する壁パネル２，２ａが複数接合されてなる大型壁パネル１を、幅方向に隣接させて連結してなるものであり、前記隣接する大型壁パネル１の対向する側端部に位置する縦框材５ａ，５ｂ同士が緊結されている。
そして、前記複数の壁パネル２，２ａの各板材３の一面側の枠体４表面に外装材６が予め取り付けられるとともに、各板材３の他面側の枠体５表面に、隣接する大型壁パネル１の対向する側端部に位置する縦框材５ａ，５ｂの周囲を露出させた状態で石膏ボード７が予め取り付けられており、前記露出する縦框材５ａ，５ｂ同士の周囲には、この露出する縦框材５ａ，５ｂ同士の周囲を覆うための補助石膏ボード８が取り付けられている。
【００２２】
なお、本実施の形態の大型壁パネル１は、この大型壁パネル１の中央部下方に窓枠１１が予め取り付けられた状態となっており、前記大型壁パネル１を構成する各壁パネル２，２ａは、この窓枠１１を取付可能に形成、配置されている。
すなわち、本実施の形態の大型壁パネル１を構成するための各壁パネル２，２ａの形成、配置形態としては、図４に示すような縦長の壁パネル２が左右側部に配置されるとともに、これら縦長の壁パネル２同士の上部間に、幅広に形成された壁パネル２ａが架設されてなる。
【００２３】
ここで、前記大型壁パネル１を構成する各壁パネル２，２ａの板材３として、材料に合板が用いられているが、これに限るものではない。すなわち、例えば樹種を変更したり、木片等を合成樹脂で固めたパーティクルボードを使用してもよく、地震等に対する強度を向上させることが可能であれば、本発明の趣旨を逸脱しない範囲で適宜変更可能である。
【００２４】
前記枠体４，５は、図４に示すように、離間して対向配置された縦框材４ａ，４ｂ、５ａ，５ｂの上下端部間に、それぞれ横框材４ｃ，４ｄ、５ｃ，５ｄが架設されることで、四角枠状に形成されている。
【００２５】
また、前記板材３の一面側に取り付けられた枠体４の縦框材４ａ，４ｂのうち、一方の縦框材４ａは、前記板材３の周縁部よりも横方向外側に突出し、他方の縦框材４ｂは、前記板材３の周縁部よりも横方向内側に引込んでいる。
そして、前記一方の縦框材４ａの突出寸法は、前記他方の縦框材４ｂの引込み寸法と略等しい寸法となっており、図１に示すように、壁パネル２，２ａ同士を隣接させて接合する際に、突出している一方の壁パネル２，２ａの一方の縦框材４ａと、引込んでいる他方の壁パネル２，２ａの他方の縦框材４ｂとの位置を正確に合わせることができるようになっている。
【００２６】
なお、前記一方の縦框材４ａの突出寸法は、図５に示すように、例えば一方の縦框材４ａのうち、前記板材３の周縁部から横方向外側に突出していない部分の幅寸法の値を「１０」とすると、前記板材３の周縁部から横方向外側に突出している部分の幅寸法の値が「５」となっている。
対して、前記他方の縦框材４ｂの幅寸法の値は、前記一方の縦框材４ａの突出していない部分と同じく「１０」となっており、前記板材３の周縁部よりも横方向内側に引込んだ分の引込み寸法の値は、前記一方の縦框材４ａの突出している部分と同じく「５」となっている。
すなわち、前記一方の縦框材４ａが突出する分だけ、他方の縦框材４ｂが引込んだ形態となっている。ただし、以上説明した各値はこれに限定されない。
【００２７】
一方、前記板材３の他面側に取り付けられた枠体５は、図４に示すように、前記板材３の周縁部に沿って正確に取り付けられており、前記板材３の一面側に取り付けられた枠体４よりも、奥行き寸法が長く形成されている。
【００２８】
そして、図１〜図５に示すように、前記複数の壁パネル２，２ａの各板材３の両面側に取り付けられた枠体４，５の内部には、一方および他方の縦框材４ａ，４ｂ、５ａ，５ｂと平行する縦棧材９，１０が、対向する横框材４ｃ，４ｄ、５ｃ，５ｄ間に配置されている。さらに、前記横框材４ｃ，４ｄ、５ｃ，５ｄと平行する横棧材９ａ，１０ａが、前記縦棧材９，１０と直交するようにして、対向する縦框材４ａ，４ｂ、５ａ，５ｂ間に２本配置されている。
これによって、これら縦棧材９，１０および横棧材９ａ，１０ａによって前記枠体４，５の補強を行うことができ、壁パネル２，２ａ自体の強度をより向上させることが可能となる。
【００２９】
また、前記各板材３の一面側に取り付けられた枠体４および縦棧材９の表面に、これら枠体４および縦棧材９間に架け渡されるようにして前記外装材６が取り付けられるとともに、前記各板材３の他面側に取り付けられた枠体５および縦棧材１０の表面に、これら枠体５および縦棧材１０間に架け渡されるようにして前記石膏ボード７が取り付けられている。
【００３０】
本実施の形態の外装材６は、図５に示すように、複数の外装材６からなり、これら複数の外装材６は、幅方向一端に下サネ６ａを他端に上サネ６ｂを備えることによって、これら上サネ６ｂおよび下サネ６ａが互いに重なり合うようにして隣接配置されている。
また、各外装材６は、前記各壁パネル２，２ａの板材３の一面側の枠体４において、一方の縦框材４ａおよび縦棧材９間、前記他方の縦框材４ｂおよび縦棧材９間に架設可能な幅寸法を有するとともに、図３に示すように、前記大型壁パネル１と略同様の高さ寸法となるように形成されている。なお、前記窓枠１１の上方に取り付けられる外装材６は、他の外装材６よりも縦寸法が短く形成されている。
【００３１】
また、前記板材３の一面側の枠体４のうち、一方の縦框材４ａの表面には、この一方の縦框材４ａの外側端部と下サネ６ａの側端部とを揃えるようにして前記外装材６が固定され、他方の縦框材４ｂの表面には、この他方の縦框材４ｂの外側端部よりも上サネ６ｂの側端部を突出させるようにして前記外装材６が固定されている。
これによって、壁パネル２，２ａ同士を隣接させて接合する際に、突出している一方の壁パネル２，２ａの一方の縦框材４ａと、引込んでいる他方の壁パネル２，２ａの他方の縦框材４ｂとの位置を合わせるのと同時に、前記一方の壁パネル２，２ａの一方の縦框材４ａの表面に固定された外装材６の下サネ６ａと、前記他方の壁パネル２，２ａの他方の縦框材４ｂの表面に固定された外装材６の上サネ６ｂとを互いに重ね合わせることができ、施工性に優れる。
【００３２】
また、本実施の形態の石膏ボード７は、図２に示すように、複数の石膏ボード７からなり、これら複数の石膏ボード７は、前記各壁パネル２，２ａの板材３の他面側の枠体５において、これら枠体５の内部に配置された縦棧材１０間に、前記一方および他方の縦框材５ａ，５ｂを跨ぐようにして架設可能な幅寸法を有するとともに、前記大型壁パネル１と略同様の高さ寸法となるように形成されている。なお、前記窓枠１１の上方に取り付けられる石膏ボード７は、他の石膏ボード７よりも縦寸法が短く形成されているとともに、図１に示すように、中央の縦棧材１０を跨ぐようにして左右の縦棧材１０間に架設されている。
【００３３】
また、本実施の形態の石膏ボード７は、上述したように隣接する大型壁パネル１の対向する側端部に位置する縦框材５ａ，５ｂの周囲を露出させた状態で取り付けられている。すなわち、図２に示すように、大型壁パネル１の両側端部に位置する双方の縦框材５ａ，５ｂと、これら双方の縦框材５ａ，５ｂに隣り合う縦棧材１０間に、石膏ボード７が取り付けられていない状態となっている。
なお、前記隣接する大型壁パネル１の対向する側端部に位置する縦框材５ａ，５ｂに、後述する連結ボルト１９を挿通させるためのボルト挿通孔２０を形成しておくことが望ましい。
【００３４】
そして、以上のように前記各板材３の一面側に取り付けられた枠体４および縦棧材９の表面に、これら枠体４および縦棧材９間に架け渡されるようにして前記外装材６が取り付けられているので、この外装材６を前記枠体４および縦棧材９に対して確実に取付固定できる。その上、前記各板材３の表面と外装材６との間に形成される隙間に、例えば断熱材を設けたりすることができるので、利便性が高い。
また、前記各板材３の他面側に取り付けられた枠体５および縦棧材１０の表面に、これら枠体５および縦棧材１０間に架け渡されるようにして前記石膏ボード７が取り付けられているので、この石膏ボード７を前記枠体５および縦棧材１０に対して確実に取付固定できる。その上、前記各板材３の表面と石膏ボード７との間に形成される隙間に、例えば断熱材を設けたりすることができるので、利便性が高い。
【００３５】
そして、本実施の形態においては、図１および図５に示すように、前記各板材３の表面と外装材６との間に形成される隙間と、前記各板材３の表面と石膏ボード７との間に形成される隙間、すなわち、前記各板材３の両面側に取り付けられた枠体４，５の内部には、断熱材１２，１３が設けられている。
このように前記各板材３の両面側に取り付けられた枠体４，５の内部の双方に断熱材１２，１３を設置することによって、例えば断熱材を柱や枠材の内部に埋設する充填断熱方法や、柱や枠材の外部に断熱材を貼り付ける外張り断熱方法に比して、同性能の断熱材を用いた場合は、その断熱性を格段に向上させることができる。
【００３６】
なお、前記各板材３の両面側に取り付けられた枠体４，５の内部に、前記断熱材１２，１３を設けるだけでなく、例えば図５に示すように、パイプスペース１４として使用したり、また、図示はしないが、棚を複数取り付けて収納スペースとすることも可能となっている。
【００３７】
一方、前記補助石膏ボード８は、上述したように、前記露出する縦框材５ａ，５ｂ同士の周囲に取り付けられるものであり、隣接する大型壁パネル１間に架設されている。
すなわち、上述したように隣接する大型壁パネル１の対向する側端部に位置する縦框材５ａ，５ｂの周囲が露出した状態となっているので、図１に示すように、この露出した部分に嵌め込まれるようにして取り付けられている。
そして、このように補助石膏ボード８は、隣接する大型壁パネル１間に架設されていることから、この補助石膏ボード８によって前記露出する縦框材５ａ，５ｂ同士の周囲を一遍に覆うことができるので、隣接する大型壁パネル１同士を連結する際の作業性を向上させることができる。
【００３８】
なお、本実施の形態の石膏ボード７および補助石膏ボード８は、図５に示すように、防水透湿シート１５を介して取り付けられている。
【００３９】
また、前記各壁パネル２，２ａの板材３の一面側に取り付けられた枠体４の内部は、図５に示すように、通気層１６として使用することができ、この通気層１６は、前記外装材６の裏面と断熱材１２の表面との間において、前記板材３の上下方向に沿って延在している。
なお、上述したように前記板材３の一面側の枠体４の内部には、前記横棧材９が配置されている。ここで、図示はしないが、通気層１６の良好な通気状態を維持するために、この横棧材９を、前記板材３の一面側の枠体４よりも薄厚に形成したり、この横棧材９に、上下に連通する通気孔を設けるようにしてもよい。
【００４０】
このように通気層１６を形成することによって、この通気層１６内を常に空気が通過することになるので、例えば隣接する外装材６の側端部間から雨水が浸入したとしても、通気層１６内を通過する空気によって雨水に濡れた部分を確実に乾燥させることができる。
【００４１】
この他にも、本実施の形態においては、各壁パネル２，２ａに係る防水方法として、前記各壁パネル２，２ａの板材３の一面側に取り付けられた枠体４の一方および他方の縦框材４ａ，４ｂの表面と前記縦棧材９の表面に、それぞれ防水材１７を介して、前記複数の外装材６の側端部を固定するような方法がとられている。これによれば、隣接する外装材６の側端部間からの雨水の浸入を、前記防水材１７によって確実に防ぐことができるので、防水性を格段に向上させることができるようになっている。
なお、この防水材１７は、例えばブチルゴム等のような液体不透過性や耐候性、耐熱性等に優れる素材からなるが、これに限られるものではなく、本発明の趣旨を逸脱しない範囲で適宜変更可能である。
また、この防水材１７は、前記一方および他方の縦框材４ａ，４ｂや、前記縦棧材９の表面の形状に合わせて形成されており、縦方向に長い矩形状となっている。また、図示はしないが、この防水材１７を、前記一方および他方の縦框材４ａ，４ｂや縦棧材９よりも若干大きくなるように形成してもよい。
【００４２】
また、本実施の形態の大型壁パネル１は、図示しない基礎から突出するアンカーボルトを挿通させるための孔を有するアンカーボルト挿通部１８を複数備えている。
【００４３】
次に、本実施の形態の大型壁パネル１の連結方法について説明する。
本実施の形態の大型壁パネル１の連結方法は、図１〜図５に示すように、四角形状に形成された板材３と、この板材３の両面の少なくとも周縁部に取り付けられ、縦横の框材４ａ，４ｂ，４ｃ，４ｄ、５ａ，５ｂ，５ｃ，５ｄを四角枠状に組み立てた枠体４，５とを有する壁パネル２，２ａを複数接合してなる大型壁パネル１を、幅方向に隣接させて連結するものである。
【００４４】
すなわち、まず、図４に示すように、四角形状に形成された板材３と、この板材３の両面の少なくとも周縁部に、縦横の框材４ａ，４ｂ，４ｃ，４ｄ、５ａ，５ｂ，５ｃ，５ｄを四角枠状に組み立てた枠体４，５を取り付けて壁パネル２，２ａを複数形成する。この時、両枠体４，５の内部に縦棧材９，１０および横棧材９ａ，１０ａを配置する。また、窓枠１１の上部に位置する壁パネル２，２ａについても同様に形成する。
【００４５】
続いて、これら壁パネル２，２ａ同士を接合する。つまり、図１および図５に示すように、突出している一方の壁パネル２，２ａの一方の縦框材４ａと、引込んでいる他方の壁パネル２，２ａの他方の縦框材４ｂとの位置を合わせるようにしながら、隣接する壁パネル２，２ａの側端面同士を接着する。
【００４６】
なお、この作業と前後して、図３に示すように、各壁パネル２，２ａの板材３の一面側に外装材６を取り付ける作業を行うものとする。
また、外装材６を取り付ける前段階で、図５に示すように、各枠体４の内部に、通気層１６を形成しながら断熱材１２を設置する。
【００４７】
そして、複数の壁パネル２，２ａの各板材３の一面側の枠体４の表面に外装材６が取り付けられた状態の大型壁パネル１に対して、図２に示すように、前記各壁パネル２，２ａの各板材３の他面側の枠体５の表面に石膏ボード７を取り付ける。
この時、隣接する大型壁パネル１の対向する側端部に位置する縦框材５ａ，５ｂの周囲を露出させた状態にしておく。また、石膏ボード７を取り付ける前段階で、各枠体５の内部に断熱材１３を設置するとともに、前記防水透湿シート１５を貼り付けておく。
【００４８】
続いて、窓枠１１を所定の位置に取り付けて固定することによって、本実施の形態の大型壁パネル１が形成される。
そして、このように形成された大型壁パネル１は、図１〜図３に示すように、前記隣接する大型壁パネル１の対向する側端部に位置する縦框材５ａ，５ｂ同士を緊結することによって連結される。緊結する際は、これら大型壁パネル１の対向する側端部に位置する縦框材５ａ，５ｂに形成されたボルト挿通孔２０に連結ボルト１９を挿通させて締め付けることによってなされる。
【００４９】
その後、図１に示すように、前記露出する縦框材５ａ，５ｂ同士の周囲に、この露出する縦框材５ａ，５ｂ同士の周囲を覆うための補助石膏ボード８を取り付けて、隣接する大型壁パネル１の対向する側端部に位置する縦框材５ａ，５ｂの周囲を前記補助石膏ボード８によって覆うようにする。以上のようにして、大型壁パネル１同士が連結されるようになっている。
【００５０】
次に、本実施の形態における大型壁パネル１を構成する壁パネル２，２ａによる地震等の変形力に対する作用について詳細に説明する。
【００５１】
ここで、本実施の形態の壁パネル２，２ａは、図４に示すように、四角形状に形成された板材３両面の少なくとも周縁部に、縦横の框材４ａ，４ｂ，４ｃ，４ｄ、５ａ，５ｂ，５ｃ，５ｄを四角枠状に組み立てた枠体４，５が取り付けられるとともに、これら枠体４，５の内部に、一方および他方の縦框材４ａ，４ｂ、５ａ，５ｂと平行する縦棧材９，１０が、対向する横框材４ｃ，４ｄ、５ｃ，５ｄ間に配置されて構成されている。これに加えて、前記横框材４ｃ，４ｄ、５ｃ，５ｄと平行する横棧材９ａ，１０ａが、前記縦棧材９，１０と直交するようにして、対向する縦框材４ａ，４ｂ、５ａ，５ｂ間に２本配置されている。
【００５２】
そして、前記板材３に対して、剪断方向や捻れ方向などに大きな変形力が加わった場合、この板材３は様々な方向に向かって変形しようとする。
【００５３】
例えば板材３が、側面視くの字に変形しようとすれば、板材３の両面の前記一方の縦框材４ａ，５ａおよび他方の縦框材４ｂ，５ｂによって変形を抑制する。
すなわち、例えば前記板材３の一面側が外側に向くように位置し、他面側が内側に向くように位置するようにして、前記板材３が側面視くの字に変形する場合、前記板材３の一面側に取り付けられた一方の縦框材４ａおよび他方の縦框材４ｂも、前記板材３の一面側と同様の方向に変形しようとし、前記板材３の他面側に取り付けられた一方の縦框材５ａおよび他方の縦框材５ｂも、前記板材３の他面側と同様の方向に変形しようとする力が働く。
【００５４】
これに対して、前記板材３の一面側に取り付けられた一方の縦框材４ａおよび他方の縦框材４ｂには、変形に対する復帰力が生じて元の状態に戻ろうとし、前記板材３の他面側に取り付けられた一方の縦框材５ａおよび他方の縦框材５ｂにも、変形に対する復帰力が生じて元の状態に戻ろうとする。
【００５５】
このため、前記板材３は、この板材３両面に取り付けられた一方の縦框材４ａ，５ａおよび他方の縦框材４ｂ，５ｂの、変形しようとする力と、変形に対する復帰力とによって挟み込まれることとなる。
【００５６】
つまり、前記板材３が、側面視くの字に変形しようとしても、前記板材３の両面に取り付けられた一方の縦框材４ａ，５ａおよび他方の縦框材４ｂ，５ｂによって変形を抑制され、また前記板材３が、側面視逆くの字に変形しようとしても、前記板材３の両面に取り付けられた一方の縦框材４ａ，５ａおよび他方の縦框材４ｂ，５ｂによって変形を抑制されることとなる。
【００５７】
一方、例えば、前記板材３が、平面視くの字に変形しようとしても、上述のごとく、前記板材３両面の前記一方の横框材４ｃ，５ｃおよび他方の横框材４ｄ，５ｄとによって、その変形が抑制されることとなる。
【００５８】
また、例えば板材３が、捻れるように変形しようとしても、前記板材３両面の縦横の框材４ａ，４ｂ，４ｃ，４ｄ、５ａ，５ｂ，５ｃ，５ｄからなる枠体４，５全体で変形を抑制することができるようになっている。
【００５９】
しかも、前記板材３の両面側の枠体４，５の内部には、前記縦横の棧材９，９ａ、１０，１０ａが設けられているので、これら縦横の棧材９，９ａ、１０，１０ａによって前記枠体４，５の補強を行うことができ、この補強された枠体４，５によって板材３の変形を抑制する力が強化されることとなる。
【００６０】
したがって、前記板材３が、いずれの方向に変形しても前記枠体４，５および縦横の棧材９，９ａ、１０，１０ａによって変形を抑制することができるので、前記板材３や、この板材３と両枠体４，５との取付部分に影響が出にくく、地震等に対する強度を向上させることが可能となる。
【００６１】
本実施の形態によれば、隣接する大型壁パネル１の対向する側端部の緊結箇所を補助石膏ボード８によって覆うことができるので、従来とは異なり、大型壁パネル１同士を連結するに際し、パネル自体の強度を維持するための補強作業等を行なう必要がない。これによって、隣接する大型壁パネル１同士を、容易かつ強固に連結することが可能となる。
しかも、複数の壁パネル２，２ａの各板材３の一面側の枠体４の表面に外装材６を予め取り付けるとともに、各板材３の他面側の枠体５の表面に石膏ボード７を予め取り付けておくことによって、施工現場で外装材６や石膏ボード７を取り付ける手間を省略することができるので、作業性の向上や工期の短縮を図ることができる。
さらに、大型壁パネル１を構成する各壁パネル２，２ａの板材３の両面の周縁部に取り付けられた枠体４，５によって板材３を両面側から挟み込むことができ、板材３が、いずれの方向に変形しても枠体４，５によって変形を抑制することができるので、板材３や、この板材３と両枠体４，５との取付部分に影響が出にくく、壁パネル２，２ａ自体の強度を向上させることが可能となる。
また、板材３の両面に枠体４，５が取り付けられてなるので、従来に比して、使用する板材３の量を２枚から１枚に減らすことができ、コストを削減することができる。
【図面の簡単な説明】
【００６２】
【図１】本発明の実施の形態に係る大型壁パネルの連結構造を示す平断面図である。
【図２】図１の大型壁パネルの連結構造を示す背面図である。
【図３】図１の大型壁パネルの連結構造を示す正面図である。
【図４】本発明の実施の形態における大型壁パネルを構成する壁パネルを示す正面図、側断面図および底断面図である。
【図５】図１の大型壁パネルの連結構造の一部を示す拡大平断面図である。
【符号の説明】
【００６３】
１  大型壁パネル
２  壁パネル
３  板材
４  枠体
５  枠体
６  外装材
７  石膏ボード
８  補助石膏ボード
【図１】
2008266908.tif 000003
【図２】
2008266908.tif 000004
【図３】
2008266908.tif 000005
【図４】
2008266908.tif 000006
【図５】
2008266908.tif 000007